(57)【要約】【課題】送風機において、モータが収容されるロータ内部への塵埃の侵入を十分に防ぐことができ、モータロックを従来よりも効果的に防止する。【解決手段】モータ３５が収容されているロータ２０の開口２１および回路基板４０をカバー５０によって覆い、ロータ２０内への塵埃の侵入をカバー５０で防ぐ。さらに、ロータ２０と一体に回転するカバー５０に形成したフィン（気流発生手段）５４によりカバー５０の内部から外部へ流れる気流を発生させ、ロータ２０内への塵埃の侵入を防ぐ。【選択図】図１
2013050041.tif 000002
【特許請求の範囲】
【請求項１】
外周部に羽根を有するとともに軸方向の一端側に開口を有し、開口側に配置された支持部材に回転軸を介して回転自在に支持されるロータと、
該ロータの内周面に配置されるロータマグネットと、
前記ロータの内側に前記ロータマグネットに対向する状態に配置されて前記支持部材に固定され、ロータマグネットと協働してロータを回転駆動するステータと、
前記ステータの軸方向の一端側に配置されて前記支持部材に固定され、前記ロータの回転駆動を制御する回路基板と、
前記回路基板および前記ロータの開口を覆って配置されてロータに固定され、ロータと一体に回転するカバーと、
を備え、
前記カバーは、内周面に気流発生手段が設けられた円筒状の周壁部と、排気孔とを有しており、カバーの回転時に、気流発生手段によってカバー内の空気が排気孔から排出される気流が発生することを特徴とする送風機。
【請求項２】
前記気流発生手段は、前記周壁部に形成された複数のフィンであることを特徴とする請求項１に記載の送風機。
【発明の詳細な説明】
【技術分野】
【０００１】
本発明は、モータで羽根車（羽根付きロータ）を回転させて空気を圧送する送風機に関する。
【背景技術】
【０００２】
この種の送風機として、エアコン内の塵埃を外部に排出するものが知られている（特許文献１）。同文献の送風機は、外周に羽根部を有し、軸方向の一端側が開口する回転可能な略円筒状のロータと、ロータの内周に配置されるロータマグネットと、ロータ内部に配置され、ロータマグネットとの組み合わせでモータを構成するステータと、ステータの軸方向の一端側に配置され、ロータの回転駆動を制御する回路基板とを備えた構造において、回路基板を覆ってロータの開口に面して基板カバーを配置し、この基板カバーとロータの開口端との間にラビリンスシールを設けて、モータが収容されるロータ内部への塵埃の侵入を抑え、塵埃によるモータロックを防止するものとしている。
【先行技術文献】
【特許文献】
【０００３】
【特許文献１】特開２００８−２３２０２４号公報
【発明の概要】
【発明が解決しようとする課題】
【０００４】
しかしながらラビリンスシールであっても微小な隙間は存在するため、微細な塵埃がロータ内部に侵入する可能性があり、また、一旦塵埃がロータ内部に侵入すると、それは排出されにくく、長期にわたってモータロックを防止する上では不十分な構造である。
【０００５】
本発明は上記事情に鑑みてなされたものであり、その主たる目的は、モータが収容されるロータ内部への塵埃の侵入を十分に防ぐことができ、モータロックを従来よりも効果的に防止することができる送風機を提供することにある。
【課題を解決するための手段】
【０００６】
本発明の送風機は、外周部に羽根を有するとともに軸方向の一端側に開口を有し、開口側に配置された支持部材に回転軸を介して回転自在に支持されるロータと、該ロータの内周面に配置されるロータマグネットと、前記ロータの内側に前記ロータマグネットに対向する状態に配置されて前記支持部材に固定され、ロータマグネットと協働してロータを回転駆動するステータと、前記ステータの軸方向の一端側に配置されて前記支持部材に固定され、前記ロータの回転駆動を制御する回路基板と、前記回路基板および前記ロータの開口を覆って配置されてロータに固定され、ロータと一体に回転するカバーとを備え、前記カバーは、内周面に気流発生手段が設けられた円筒状の周壁部と、排気孔とを有しており、カバーの回転時に、気流発生手段によってカバー内の空気が排気孔から排出される気流が発生することを特徴とする。
【０００７】
本発明によれば、回路基板およびロータの開口を覆って配置されてロータに固定されるカバーによって、モータが収容されるロータ内部への塵埃の侵入を抑えることができ、また、カバーがロータとともに回転し、気流発生手段によってカバー内の空気が排気孔から排出される気流が発生するため、この気流によってカバー内部、ひいてはロータ内部への塵埃の侵入が一層抑えられるとともに、ロータ内部からの塵埃の排出を可能とする。これらの結果、モータロックを従来よりも効果的に防止することができる。
【０００８】
本発明の気流発生手段は、具体的には、カバーの周壁部に形成された複数のフィンである形態が挙げられる。
【発明の効果】
【０００９】
本発明によれば、モータが収容されるロータ内部への塵埃の侵入を十分に防ぐことができ、モータロックを従来よりも効果的に防止することができる送風機が提供されるといった効果を奏する。
【図面の簡単な説明】
【００１０】
【図１】本発明の一実施形態に係る送風機を示す断面図である。
【図２】一実施形態の送風機が備えるカバーを上から見た状態の斜視図である。
【図３】一実施形態の送風機の一部断面図である。
【発明を実施するための形態】
【００１１】
以下、本発明の一実施形態を図面を参照して説明する。
図１は、一実施形態に係る送風機１がケース１００によって形成された送風経路１０１内に設置された状態を示している。図１で符号１０は軸方向が図中上下方向に沿って配置された軸受支持部である。軸受支持部１０は、円筒部１１の下端にフランジ部１２が形成されたもので、フランジ部１２がケース１００の底部に固定されている。円筒部１１には上方から挿入された回転軸１５が上下のベアリング１６を介して回転自在に支持されており、この回転軸１５の上端には、下側に開口２１を有する円筒状のロータ２０が同心状に固定されている。
【００１２】
ロータ２０は、円筒状のロータカップ２２と、ロータカップ２２の内面に固着されたロータホルダ２３とから構成される。ロータホルダ２３の内周面には、ロータマグネット２５が固着されている。ロータ２０は、ロータホルダ２３の中心に形成されたボス部２３ａが回転軸１５の上端に嵌合して固定されることにより、回転軸１５と一体回転する。ロータカップ２２の外周部には羽根２９が形成されている。
【００１３】
ロータ２０の内部であって軸受支持部１０の円筒部１１の外周面には、ステータ３０が、ロータマグネット２５と隙間をおいて対向する状態に配置されて固定されている。ステータ３０とロータマグネット２５との組み合わせにより、ロータ２０を回転駆動するモータ３５が構成される。また、ステータ３０の下側には、ロータ２０の回転駆動を制御する回路基板４０が配置されている。回路基板４０はロータ２０の開口２１に面して配置され、ステータ３０を介して軸受支持部１０に固定されている。
【００１４】
ロータ２０のロータカップ２２における下側の開口縁２２ａには、回路基板４０とともにロータ２０の開口２１を覆う円板状のカバー５０が固定されている。カバー５０は、図２に示すように、円板部５１の周縁から上方に立ち上がる周壁部５２を有し、その周壁部５２の周縁に形成されたフランジ部５３が、ロータカップ２２に固定されている。
【００１５】
カバー５０はロータ２０と一体に回転し、その回転中心である円板部５１の中心には、軸受支持部１０の円筒部１１が貫通し、円筒部１１との間に隙間を形成する円形状の排気孔５１ａが形成されている。図２に示すように、カバーの周壁部５２の内周面には、上方に向かうにしたがって一周方向（矢印Ａで示す）側に湾曲しながら傾斜する複数のフィン（気流発生手段）５４が、等間隔をおいて形成されている。なお、フィン５４を湾曲させずに直線状に形成して配置することも可能である。
【００１６】
以上が本実施形態の送風機１の構成であり、この送風機１では、回路基板４０を介してステータ３０に電圧が印可されるとモータ３５が作動状態となってロータ２０が回転駆動され、ロータ２０と一体に回転する羽根２９の作用により、図１に示すように送風経路１０１を例えば矢印Ｂ方向の空気の流れが発生して空気がその方向に圧送される。
【００１７】
矢印Ｂの気流は羽根２９の作用による主流経路であり、送風機１を通過する空気の中には、送風機１の下方に流入してカバー５０の下方を通過する矢印Ｃで示す副流経路を通るものもある。この副流経路を流れる空気に塵埃が混じっていると、モータ３５が収容されるロータ２０の内部にその塵埃が侵入してモータロックを招くというのが本発明の課題であった。しかしながら本実施形態によれば、カバー５０によってロータ２０内に塵埃が侵入することが抑えられる。
【００１８】
また、カバー５０はロータカップ２２とともに回転するが、回転中においてカバー５０は図２の矢印Ａ方向に回転するようになされており、このようにカバー５０が回転するとカバー５０の内部には周壁部５２の内周面に形成されたフィン５４により、回転方向、かつ下方に向けて気流が発生する。この気流は、図１：矢印Ｆで示すように、内周側に流れ、円板部５１の中心の排気孔５１ａから外部に排出し、円板部５１と軸受支持部１０のフランジ部１２との間を外周方向に流れていく。
【００１９】
したがってこの気流が発生することにより副流経路を流れる空気に塵埃が混じっていたとしても、その塵埃はカバー５０内に侵入しにくく、また、排気孔５１ａからの気流によって塵埃がカバー５０内、ひいてはロータ２０内に侵入することが十分に防がれる。このため、モータロックを従来よりも効果的に防止することができる。
【符号の説明】
【００２０】
１…送風機
１０…軸受支持部（支持部材）
１５…回転軸
２０…ロータ
２１…ロータの開口
２５…ロータマグネット
２９…羽根
３０…ステータ
３５…モータ
４０…回路基板
５０…カバー
５１ａ…排気孔
５２…周壁部
５４…フィン（気流発生手段）
【図１】
2013050041.tif 000003
【図２】
2013050041.tif 000004
【図３】
2013050041.tif 000005